(57)【特許請求の範囲】
【請求項１】
観察用光源及び撮影用光源からの光を照明光学系を介して被検眼の眼底に照射し、眼底からの反射光を結像光学系を介して結像させ眼底を観察もしくは撮影する眼底カメラにおいて、
前記観察用光源の光量を設定するための手段と、
前記撮影用光源の光量を設定するための手段と、
前記観察用光源及び撮影用光源の光量の初期設定値を記憶しておくための第１のメモリと、
前記設定された観察用光源及び撮影用光源の光量の設定値を記憶しておくための第２のメモリとを設け、
第１又は第２のメモリに記憶された設定値を選択的に読み出し、読み出された設定値に基づいて観察用光源及び撮影用光源の光量を設定するとともに、
前記第２のメモリが検者のユーザーＩＤ番号に対応するアドレスを有する領域に複数に分割され、各分割されたメモリにそれぞれ観察用光源及び撮影用光源の光量の設定値が検者ごとに格納され、
検者はユーザーＩＤ番号を入力することにより、前記第２のメモリのユーザーＩＤ番号に対応するアドレスに格納された設定値を更新し、
一方、前記第２のメモリに記憶された設定値を選択的に読み出して用いる場合、検者はユーザーＩＤ番号を入力することにより、前記第２のメモリのユーザーＩＤ番号に対応するアドレスに格納された設定値を読み出し、読み出された設定値に基づいて観察用光源及び撮影用光源の光量を設定することを特徴とする眼底カメラ。
【発明の詳細な説明】
【０００１】
【発明の属する技術分野】
本発明は、眼底カメラ、更に詳細には、観察用光源及び撮影用光源からの光を照明光学系を介して被検眼の眼底に照射し、眼底からの反射光を結像光学系を介して結像させ眼底を観察もしくは撮影する眼底カメラに関する。
【０００２】
【従来の技術】
近年、眼科の分野でも医師の専門家傾向が進み、特に大学病院や医療研究施設などでは、角膜を専門にする人、ブドウ膜を専門にする人、網膜を専門にする人などが多く見られるようになってきた。その網膜を専門にする人の中でも、緑内障診断のため乳頭を中心に見る人や網膜剥離の診断のため網膜全体を見る人など様々である。しかし、医師一人に眼底カメラが１台あるという病院や施設は少なく、１台の眼底カメラを複数の医師が共有するのが現状である。従来の眼底カメラでは、一人一人が使用する度に自分の診断に適するようにマニュアル操作で観察あるいは撮影光量を設定して使用していた。
【０００３】
【発明が解決しようとする課題】
ところが、乳頭を中心に見る場合には網膜全体を見るときよりも光量を落とさないと乳頭部の血管がサチュレーションを起こしてしまい、うまく撮影できない。逆に乳頭部の血管が鮮明に写る状態で網膜全体を撮影すると全体的に暗い眼底像しか得られず、黄斑部の中心や周辺部の血管がうまく撮影できないといった問題がある。
【０００４】
従って、本発明は、このような問題点を解決するためになされたもので、簡単な構成で観察あるいは撮影光量を種々に設定でき良好な眼底観察並びに撮影が可能な眼底カメラを提供することをその課題とする。
【０００５】
【課題を解決するための手段】
本発明は、この課題を解決するために、観察用光源及び撮影用光源からの光を照明光学系を介して被検眼の眼底に照射し、眼底からの反射光を結像光学系を介して結像させ眼底を観察もしくは撮影する眼底カメラにおいて、前記観察用光源の光量を設定するための手段と、前記撮影用光源の光量を設定するための手段と、前記観察用光源及び撮影用光源の光量の初期設定値を記憶しておくための第１のメモリと、前記設定された観察用光源及び撮影用光源の光量の設定値を記憶しておくための第２のメモリとを設け、第１又は第２のメモリに記憶された設定値を選択的に読み出し、読み出された設定値に基づいて観察用光源及び撮影用光源の光量を設定するとともに、前記第２のメモリが検者のユーザーＩＤ番号に対応するアドレスを有する領域に複数に分割され、各分割されたメモリにそれぞれ観察用光源及び撮影用光源の光量の設定値が検者ごとに格納され、検者はユーザーＩＤ番号を入力することにより、前記第２のメモリのユーザーＩＤ番号に対応するアドレスに格納された設定値を更新し、一方、前記第２のメモリに記憶された設定値を選択的に読み出して用いる場合、検者はユーザーＩＤ番号を入力することにより、前記第２のメモリのユーザーＩＤ番号に対応するアドレスに格納された設定値を読み出し、読み出された設定値に基づいて観察用光源及び撮影用光源の光量を設定する構成を採用している。
【０００６】
このような構成によれば、検者はユーザーＩＤ番号の入力を介して自分専用の観察光量及び撮影光量を設定でき、これを登録することができるので、測定ごとに光量設定をしなおさなくてもよくなる。また、必要に応じて初期の光量設定に戻すことが簡単にできるため、一般的な症状の患者の眼底撮影も簡単に行えるようになる。
【０００７】
特に、ユーザーＩＤ番号に対応して各検者に固有の観察光量及び撮影光量をそれぞれ登録しておけば、検者は常に自分専用の光量設定を行なえ、一台の眼底カメラで複数の検者に敏速に対応することができ、しかも自分専用の設定値は、自由に設定ないし更新できるので非常に使い勝手の良い眼底カメラを提供できる。
【０００８】
【発明の実施の形態】
以下、図面に示す実施の形態に従って本発明を詳細に説明する。
【０００９】
図１に本発明に係わる眼底カメラを示す。観察用光源であるランプＬＡがミラーＭ１の中心に配置され、このランプＬＡから発せられた光は、コンデンサーレンズ１、撮影用光源であるストロボＳＲ、コンデンサーレンズ２、フィルターＦ１を経て、全反射ミラーＭ２によって反射され、続いてレンズ３、リング状照明を形成するためのリングスリット４、さらにリレーレンズ５、対物レンズの反射をとるための黒点板６、リレーレンズ７を通り、中心に穴の開いた穴あき全反射ミラーＭ３で反射されてから対物レンズ８を経て被検眼Ｅの瞳Ｅｐより眼底Ｅｒに入射される。尚、フィルターＦ１は蛍光撮影用のエキサイターフィルターで蛍光撮影の時にのみ光路内に挿入され、通常の眼底撮影の時には光路内から離脱されている。
【００１０】
眼底Ｅｒからの反射光は再び瞳Ｅｐから対物レンズ８を介して受光され、穴あき全反射ミラーＭ３の穴を介してフィルターＦ２、合焦レンズ９、結像レンズ１０を通過し、リターンミラーＭ４に入射する。尚、フィルターＦ２は蛍光撮影用のバリアーフィルターで蛍光撮影の時のみ光路内に挿入され、通常撮影の時には光路内から離脱されている。
【００１１】
リターンミラーＭ４に入射した光は、観察時にはリターンミラーＭ４、ミラーＭ５に反射され、視野絞り１２、フィールドレンズ１３を介して、接眼レンズ１４により検者Ｓに観察される。リターンミラーＭ４は、光路から外せるように構成されており、フィルム１１に撮影する場合には、リターンミラーＭ４が光路から外され、撮影用光源であるストロボＳＲが発光し、フィルム１１に眼底像が撮影される。
【００１２】
図２は、観察用光源であるランプＬＡ並びに撮影用光源であるストロボＳＲの光量を調節ないし設定する回路構成を示しており、ランプＬＡの光量は、制御回路２０によって抵抗Ｒの抵抗値を変化させ、ランプＬＡに印加される電圧を変えることにより調節される。一方、ストロボＳＲの光量は、ストロボＳＲに放電させるコンデンサＣの容量を変えるか、あるいは複数の容量の異なるコンデンサの一つを選択することにより調節される。メモリ２１には、観察用光源の光量（以下観察光量という）の初期設定値Ｐ0及び撮影用光源の光量（以下撮影光量という）の初期設定値Ｑ0がデフォルト値として格納されており、また、メモリ２２には、ユーザーにより設定される観察光量の設定値Ｐ1及び撮影光量の設定値Ｑ1が格納される。
【００１３】
スイッチＵは、各光量を初期設定値あるいはユーザ設定値にするかを切り替えるスイッチであり、スイッチＵを押す毎にそのいずれかを選択することができ、初期設定が選択されたときは、表示ランプ２４が点灯するとともに、メモリ２１に格納されているデフォルト値Ｐ0、Ｑ0で決まる観察光量、撮影光量が有効になり、またユーザ設定が選択されたときは、表示ランプ２５が点灯するとともに、メモリ２２に格納されている設定値Ｐ1、Ｑ1で決まる観察光量、撮影光量が有効になる。スイッチＴは、登録スイッチで、ユーザがボリューム等の設定値入力装置２６により設定した観察光量、撮影光量の値をメモリ２２に登録することができる。
【００１４】
このような構成で、観察光量及び撮影光量の設定手順を図３を参照して説明する。まず、図３の（Ｂ）のステップＳ１においてスイッチＵを切り替え、ユーザー設定にする（ステップＳ２）。このとき表示ランプ２５が点灯する（図３（Ａ））。続いて、ユーザーは設定値入力装置２６を用いて観察光量、撮影光量を設定し（ステップＳ３）、ステップＳ４で登録スイッチＴを押すと、設定した観察光量、撮影光量の値Ｐ1、Ｑ1がメモリ２２に登録される。登録が終了すると、ステップＳ５でブザー等により登録終了が知らされる。
【００１５】
このような登録を行なうことにより、次からスイッチＵでユーザー設定を選択すると、制御回路２０はメモリ２２から値Ｐ1及びＱ1を読み出し、この値に基づいて抵抗Ｒの抵抗値及びコンデンサＣの容量値を調節するので、ユーザーが所望した観察光量と撮影光量でそれぞれ眼底を観察、撮影することが可能になる。
【００１６】
なお、初期設定の観察光量、撮影光量に戻したい場合には、スイッチＵにより初期設定を選択することにより、メモリ２１に格納されているデフォルト値Ｐ0、Ｑ0による観察光量、撮影光量でそれぞれ眼底を観察、撮影することができる。
【００１７】
図４、図５には、メモリを複数の領域に分割し、各分割された領域に個々に観察光量及び撮影光量の設定値を格納できる構成が図示されている。
【００１８】
図４において、図２と同様な部分には、同一の参照符号を付し、その説明は省略する。図４のメモリ２２’は、複数の領域に分割されており、それぞれにユーザー毎にユーザーに対応するアドレスＡ1、Ａ2、．．．に観察光量及び撮影光量の設定値を格納できるようになっている。スイッチＵ１は、初期設定とユーザー設定を切り替えるスイッチであり、この切り替え状態が表示ランプ２４、２５で表示される。スイッチＵ２は、メモリ２２’に格納された設定値の呼び出しあるいは登録を切り替えるスイッチであり、その切り替え状態が表示ランプ２７、２８で表示される。また、スイッチＵ３は、決定スイッチであり、呼び出しないし登録された設定値を有効にするものである。更に、ユーザーＩＤ番号を入力するためのキーＶと入力されたＩＤ番号を表示する表示器Ｗが設けられる。
【００１９】
このような構成において、スイッチＵ１を初期設定に切り替えると、メモリ２１に格納されているデフォルト値Ｐ0、Ｑ0が読み出され、その値に対応して抵抗Ｒの抵抗値、コンデンサＣの容量が調節され、それぞれ観察光量並びに撮影光量が初期値に設定される。このとき初期設定であることを示す表示ランプ２４が点灯する。
【００２０】
ユーザーが観察光量及び撮影光量を設定し登録したい場合には、図５（Ｃ）に示したように、スイッチＵ１をユーザー設定に切り替える（ステップＳ１０）。このとき、ユーザー設定であることを示すランプ２５が点灯する（図５（Ａ））。続いて、ステップＳ１１においてスイッチＵ２を登録に切り替える。このとき、登録ランプ２７が点灯する（図５（Ｂ））。次に、ステップＳ１２でユーザーのＩＤ番号をキーＶで入力する。この入力されたＩＤ番号は表示器Ｗに表示される。ユーザーは続いて設定値入力装置２６で観察光量の値Ｐ1及び撮影光量の値Ｑ１を設定し、スイッチＵ３を操作してその設定値をユーザーに対応したアドレスＡ1で決まるメモリ２２’の領域に格納する。
【００２１】
ユーザーがこの設定値を利用したい場合には、スイッチＵ１をユーザー設定に、またスイッチＵ２を呼び出しに切り替え（ステップＳ１０、Ｓ１３）、ステップＳ１４で与えられたＩＤ番号を入力する。表示器ＷでＩＤ番号を確認した後、ステップＳ１５でスイッチＵ３を押すことにより、メモリ２２’に格納された設定値Ｐ1、Ｑ1を有効にし、観察光量及び撮影光量をこの値にして観察並びに撮影を行なうことができる。ユーザーがこれらの設定値を変更したい場合には、ステップＳ１１、Ｓ１２、Ｓ１５に従って変更を行なう。
【００２２】
他のユーザーがある場合には、第１のユーザーと同様な手順で観察光量及び撮影光量の登録及び呼び出しを行なう。このとき、登録された各設定値Ｐ2、Ｑ2、……は、それぞれユーザーに与えられたＩＤ番号に対応するアドレスＡ2、……の領域に格納され、またそれぞれ読み出されてそれに応じて各ユーザー毎に観察光量及び撮影光量を調節することが可能になる。
【００２３】
また、各ユーザーとも、スイッチＵ１を初期設定に切り替えると、観察光量及び撮影光量をメモリ２１に格納されたデフォルト値にすることができる。
【００２４】
なお、この構成においても、各光量値の登録及び呼び出しを完了したらブザー等で検者に知らせるようにしておくと良い。また、第２のメモリ２２’の分割は予め何分割するか決めておいてもよいし、分割数も選択できるようにしておいてもよい。なお、このとき、ＩＤ番号をとおし番号にしておいて分割数を対応させておくと覚えやすい。例えば、１０分割する場合はＩＤ番号は１から１０までとする。
【００２５】
なお、各メモリに格納される設定値は、上記例では、観察光量及び撮影光量の各光量値としたが、それに対応する他のパラメータ、例えば抵抗値及び容量値を格納するようにしてもよい。
【００２６】
また、各メモリ２１、２２（２２’）は分離したメモリとするのではなく、一つのメモリとし、これを分割して実現するようにしてもよい。
【００２７】
【発明の効果】
以上説明したように、本発明では、観察光量及び撮影光量の初期設定値を格納するメモリーと、ユーザーが設定する各光量の設定値を格納するメモリーを設け、必要に応じて検者がそのいずれかを選択して観察光量及び撮影光量を調節することができるので、種々の症状の被検眼に対して良好な観察もしくは撮影が可能になる。
【００２８】
また、本発明では、ユーザーＩＤ番号に対応して各検者に固有の観察光量及び撮影光量をそれぞれ登録できるので、検者は常に自分専用の光量設定を行なえ、一台の眼底カメラで複数の検者に敏速に対応することができ、しかも自分専用の設定値は、自由に設定ないし更新できるので非常に使い勝手の良い眼底カメラを提供できる。
【図面の簡単な説明】
【図１】本発明による眼底カメラの光学系の概略構成を示す構成図である。
【図２】観察光量及び撮影光量を設定する構成を示した回路図である。
【図３】図２の構成で観察光量及び撮影光量を設定する手順を示した説明図である。
【図４】観察光量及び撮影光量を設定する他の構成を示した回路図である。
【図５】図４の構成で観察光量及び撮影光量を設定する手順を示した説明図である。
【符号の説明】
ＬＡ  ランプ
ＳＲ  ストロボ
８  対物レンズ
Ｕ  設定切り替えスイッチ
Ｔ  設定登録スイッチ
Ｕ１  設定切り替えスイッチ
Ｕ２  登録・呼び出し切り替えスイッチ
Ｕ３  決定スイッチ
Ｖ  ＩＤ番号入力スイッチ
Ｗ  ＩＤ番号表示部
【図１】
0003930959.tif 000002
【図２】
0003930959.tif 000003
【図３】
0003930959.tif 000004
【図４】
0003930959.tif 000005
【図５】
0003930959.tif 000006